(57)【特許請求の範囲】
【請求項１】
温泉井戸ポンプで揚湯した温泉水に含まれるガスを分離して除去するガスセパレータを備える温泉水の供給システムにおいて、
温泉井戸ポンプから前記ガスセパレータに接続される揚湯配管と該揚湯配管に接続される洗浄用配管とを備え、
前記ガスセパレータに前記揚湯配管が接続される高さ位置に比べ、該揚湯配管に前記洗浄用配管が接続される高さ位置を同等又は低く設定してあると共に、前記洗浄用配管を流れる洗浄水が温泉井戸へ流入することを防止するように、前記揚湯配管における前記洗浄用配管が接続される位置よりも前記温泉井戸ポンプ側の配管の一部が、前記ガスセパレータに該揚湯配管が接続される高さ位置に比べて高い位置を通るように形成された逆流防止凸部になっていることを特徴とするガスセパレータを備える温泉水の供給システム。
【請求項２】
前記洗浄用配管は、温泉水を浴槽へ送水する送水配管から前記ガスセパレータに接続される配管であり、切換弁によって、前記送水配管から浴槽への温泉水の送水を停止した際に連通するように設けられていることを特徴とする請求項１記載のガスセパレータを備える温泉水の供給システム。
【請求項３】
所要の熱源によって前記送水配管を通過する温泉水を加温する熱交換器が、該送水配管の中途部に設けられていることを特徴とする請求項２記載のガスセパレータを備える温泉水の供給システム。
【請求項４】
前記送水配管と前記洗浄用配管の前記ガスセパレータ側の中途部とを接続する短絡水路を備えることで、凍結防止のために温泉水を循環させる凍結防止循環水路が構成されていることを特徴とする請求項２又は３記載のガスセパレータを備える温泉水の供給システム。
【請求項５】
前記ガスセパレータが複数設けられ、該ガスセパレータの数に対応し、前記揚湯配管の前記逆流防止凸部よりも該ガスセパレータに接続される側で水平に分岐されている水平分岐部に前記洗浄用配管が接続されていることを特徴とする請求項１〜４のいずれかに記載のガスセパレータを備える温泉水の供給システム。
【発明の詳細な説明】
【技術分野】
【０００１】
本発明は、温泉井戸ポンプで揚湯した温泉水に含まれるガスを分離して除去するガスセパレータを備える温泉水の供給システムに関する。
【背景技術】
【０００２】
従来、温泉水のガス分離装置としては、例えば、温泉水散水部及びガス分離拡散部で、温泉水からのガス分離及び拡散を行うため温泉水を散水し衝撃版に衝撃落水させ又爆発性や有害性の危険を防止するため一次外気送風により分離したガスを希釈するとともに装置内の分離対象ガス成分の分圧を下げ分離性能を向上させ、水分低減部で、排気口での白煙発生を抑制するため水分除去を行うとともに排気温を外気温に近づけるため及びガス成分に応じた安全率を有する濃度まで希釈するため二次外気取り入れを行い、消音部で、排気による騒音が発生しないよう消音し、温泉貯留部に、ガスが滞留しないように吸気管で排気を行うもの（特許文献１参照）が提案されている。
【０００３】
この温泉水のガス分離装置では、散水、送風および水分低減の組合せにより、分離対象ガスの安全な分離、拡散及び希釈を行うとともに温泉スケール発生防止、温泉水温の降下及び白煙発生の二次被害を防止する（特許文献１参照）ことを目的としているが、温泉設備に係るより効率的な稼働や保守管理について、より適切で合理的な提案をするものではない。
【先行技術文献】
【特許文献】
【０００４】
【特許文献１】特開２０１５−１３２２２号公報（第１頁）
【発明の概要】
【発明が解決しようとする課題】
【０００５】
ガスセパレータを備える温泉水の供給システムに関して解決しようとする課題は、温泉設備における温泉水の送水や循環に係る配管形態について、より適切で合理的に構成できるものの提案がなされていないことにある。
【０００６】
そこで、本発明の目的は、温泉設備における温泉水の送水や循環に係る配管形態について、より適切で合理的に構成できるガスセパレータを備える温泉水の供給システムを提供することにある。
【課題を解決するための手段】
【０００７】
本発明は上記目的を達成するために次の構成を備える。
本発明にかかるガスセパレータを備える温泉水の供給システムの一形態によれば、温泉井戸ポンプで揚湯した温泉水に含まれるガスを分離して除去するガスセパレータを備える温泉水の供給システムにおいて、温泉井戸ポンプから前記ガスセパレータに接続される揚湯配管と該揚湯配管に接続される洗浄用配管とを備え、前記ガスセパレータに前記揚湯配管が接続される高さ位置に比べ、該揚湯配管に前記洗浄用配管が接続される高さ位置を同等又は低く設定してあると共に、前記洗浄用配管を流れる洗浄水が温泉井戸へ流入することを防止するように、前記揚湯配管における前記洗浄用配管が接続される位置よりも前記温泉井戸ポンプ側の配管の一部が、前記ガスセパレータに該揚湯配管が接続される高さ位置に比べて高い位置を通るように形成された逆流防止凸部になっている。
【０００８】
また、本発明にかかるガスセパレータを備える温泉水の供給システムの一形態によれば、前記洗浄用配管は、温泉水を浴槽へ送水する送水配管から前記ガスセパレータに接続される配管であり、切換弁によって、前記送水配管から浴槽への温泉水の送水を停止した際に連通するように設けられていることを特徴とすることができる。
【０００９】
また、本発明にかかるガスセパレータを備える温泉水の供給システムの一形態によれば、所要の熱源によって前記送水配管を通過する温泉水を加温する熱交換器が、該送水配管の中途部に設けられていることを特徴とすることができる。
【００１０】
また、本発明にかかるガスセパレータを備える温泉水の供給システムの一形態によれば、前記送水配管と前記洗浄用配管の前記ガスセパレータ側の中途部とを接続する短絡水路を備えることで、凍結防止のために温泉水を循環させる凍結防止循環水路が構成されていることを特徴とすることができる。
【００１１】
また、本発明にかかるガスセパレータを備える温泉水の供給システムの一形態によれば、前記ガスセパレータが複数設けられ、該ガスセパレータの数に対応し、前記揚湯配管の前記逆流防止凸部よりも該ガスセパレータに接続される側で水平に分岐されている水平分岐部に前記洗浄用配管が接続されていることを特徴とすることができる。
【発明の効果】
【００１２】
本発明にかかるガスセパレータを備える温泉水の供給システムによれば、温泉設備における温泉水の送水や循環に係る配管形態について、より適切で合理的に構成できるという特別有利な効果を奏する。
【図面の簡単な説明】
【００１３】
【図１】本発明に係るガスセパレータを備える温泉水の供給システムの形態例を示すブロック図であって、浴槽に供給される温泉水の流れを矢印で示してある。
【図２】図１の形態例の送水配管などを洗浄している場合の洗浄水の流れを矢印で示してある。
【図３】図１の形態例の凍結防止を行っている場合の循環流の流れを矢印で示してある。
【図４】本発明に係るガスセパレータを備える温泉水の供給システムの形態例の要部を示す正面図である。
【図５】図４の形態例の平面図である。
【図６】図４の形態例に配管されている揚湯配管の要部を示す側面図である。
【図７】図６の形態例の平面図である。
【図８】本発明に係るガスセパレータを備える温泉水の供給システムの形態例による制御方法の一例を示すフローチャートである。
【図９】本発明に係るガスセパレータを備える温泉水の供給システムの形態例による制御方法の他の例を示すフローチャートである。
【発明を実施するための形態】
【００１４】
以下、本発明に係るガスセパレータを備える温泉水の供給システムの形態例を添付図面（図１〜９）に基づいて詳細に説明する。このガスセパレータ２０を備える温泉の供給システムは、温泉井戸ポンプ１１で揚湯した温泉水に含まれるガスを分離して除去することが要求される場合であって、深く掘られた温泉井戸１０から温泉水を汲み上げる温泉施設などで、適切に利用できるシステムになっている。
【００１５】
本形態例のガスセパレータ２０は、温泉井戸ポンプ１１で揚湯した温泉水を所要の高さから落下させて打ちつけることで生じる衝撃によって、ガスを分離させるように縦長に設けられている。また、このガスセパレータ２０は、図１〜７に示すように、塔状に形成されており、同形状の二塔が並列起立状態に設置されている。なお、塔状のガスセパレータ２０の上端はガスを大気に放出できるように開口しており、その開口は法令上の規制によって地面から３ｍ以上の高さとなるように設定されている。
【００１６】
２１は第１の圧力センサーであり、ガスセパレータ２０の内部に一時的に留まる温泉水の水位を、圧力の測定によって検出するように設けられている。
この第１の圧力センサー２１によって、ガスセパレータ２０の内部の温泉水の水位が、設定された規定水位よりも低いことが検知された場合には、温泉井戸ポンプ１１の出力が十分でなく、温泉水の揚湯量が所要の量に満たしていないことになる。反対に、この第１の圧力センサー２１によって、ガスセパレータ２０の内部の温泉水の水位が設定された規定水位よりも高いことが検知された場合には、温泉井戸ポンプ１１の出力が過大で、温泉水の揚湯量が所要の量を超えていることになる。
【００１７】
２２は第１のインバータであり、第１の圧力センサー２１からの信号によってガスセパレータ２０の内部の水位が所要の範囲となるように、温泉井戸ポンプ１１の出力を調整制御するように設けられている。
例えば、温泉井戸１０の温泉水位が低くなることで、ガスセパレータ２０の内部の温泉水の水位が低くなったら、第１のインバータ２２で温泉井戸ポンプ１１を作動させる電動モータの電源に係る周波数を上げ、温泉井戸ポンプ１１による揚湯量を上げるように制御する。反対に、温泉井戸１０の温泉水位が高くなることで、ガスセパレータ２０の内部の温泉水の水位が高くなったら、第１のインバータ２２で温泉井戸ポンプ１１を作動させる電動モータの電源に係る周波数を下げ、温泉井戸ポンプ１１による揚湯量を下げるように制御する。
【００１８】
これによれば、温泉井戸ポンプ１１によって汲み上げる揚湯量を、所要の範囲で一定となるように調整でき、安定的な温泉水の供給を行うことができる。また、ガスセパレータ２０の内部の温泉水の水位が、所要の範囲で一定となるように調整されるため、温泉水をガスセパレータ２０の内部で落下させる高低差（落差）を所要の範囲で維持できる。このため、温泉水を落下させ、その衝撃で温泉水からガスを分離・除去させることが、常に適切な条件で行なわれることになり、安定的に安全な温泉水を供給できる。
【００１９】
３０は温泉貯留タンクであり、ガスセパレータ２０によってガス除去の処理がなされた後の温泉水を貯留する貯留槽になっている。また、本形態例の温泉貯留タンク３０は、大気に開放されたタンクであり、この温泉貯留タンク３０の内部からも、ガスを大気に排出できるように、排気口３０ａが設けられている。また、３０ｂはオーバーフロー用排水管路であり、所要量を超える温泉水が流入してきた非常の場合には、温泉貯留タンク３０の内部の上端部に空き空間を残して温泉水を排水できるように設けられている。
【００２０】
また、３１は温泉送水ポンプであり、温泉貯留タンク３０から送水配管３５を介して浴槽４０に温泉水を送水するように、温泉貯留タンク３０に、送水配管３５の一部を構成する接続用の配管３５ａによって接続され、その温泉送水ポンプ３１の吐出口に浴槽４０まで延びる送水配管３５が接続されている。
【００２１】
３２は第２の圧力センサーであり、温泉貯留タンク３０の内部に貯留された温泉水の貯留水位を、圧力の測定によって検出するように設けられている。
この第２の圧力センサー３２によって、温泉貯留タンク３０の内部の温泉水の水位が設定された規定水位よりも低いことが検知された場合には、温泉送水ポンプ３１の出力が過大で、温泉水の送水量の方が、揚湯量よりも大きくなっていることになる。反対に、この第２の圧力センサー３２によって、温泉貯留タンク３０の内部の温泉水の水位が設定された規定水位よりも高いことが検知された場合には、温泉送水ポンプ３１の出力が十分でなく、温泉水の送水量の方が、揚湯量よりも小さくなっていることになる。
【００２２】
３３は第２のインバータであり、第２の圧力センサー３２からの信号によって貯留水位が所要の範囲となるように、温泉送水ポンプ３１の出力を調整制御するように設けられている。
例えば、図８に示すフローチャートのように、温泉貯留タンク３０の内部の温泉水の水位が低くなったら、第２のインバータ３３で周波数を下げて温泉送水ポンプ３１による送水量を下げるように制御する。反対に、温泉貯留タンク３０の内部の温泉水の水位が高くなったら、第２のインバータ３３で周波数を上げて温泉送水ポンプ３１による送水量を上げるように制御する。また、温泉送水ポンプ３１の空転を防止するためには、その温泉送水ポンプ３１の運転を停止する。
【００２３】
以上の構成によるガスセパレータを備える温泉水の供給システムによれば、温泉井戸ポンプ１１と温泉送水ポンプ３１との両方について、インバータ制御がなされるため、二重に温泉水の供給が管理されることになる。従って、より安定的な温泉水の供給ができることになり、使用者が快適に利用できる。また、本発明では、インバータ制御によって、温泉井戸ポンプ１１と温泉送水ポンプ３１の出力を適切に可変するもので、温泉井戸ポンプ１１と温泉送水ポンプ３１の出力が無駄なく調整されるため、節電効果が高く、運転コストを低減できる。なお、揚湯配管１２に流量調整用のバルブを設けることで揚湯量を調整することも可能であるが、その場合には温泉井戸ポンプ１１の出力については高い状態を維持することになり、電力消費が大きくなって、運転コストが高くつくことになる。
【００２４】
また、本形態例では、第１の圧力センサー２１及び第２の圧力センサー３２が、センサー部に空気が接触する状態で温泉水の水位の変化による圧力変化を測定できるように、ガスセパレータ２０及び温泉貯留タンク３０に空気層を介在させて接続されている。
このように、第１の圧力センサー２１及び第２の圧力センサー３２が、空気層を介して測定することで、センサー部（受圧部）に温泉水が直に接触しないため、腐食やスケール付着による感度低下を防止でき、信頼性の高いセンシングを行うことができる。
【００２５】
また、本形態例では、温泉貯留タンク３０から浴槽４０に温泉水に送水する送水配管３５の洗浄時期を検知するように、第２のインバータ３３の周波数を検出して警報のための情報を出力する周波数検出手段を備えている。この周波数検出手段としては、インバータに搭載された機能を使用するか、別置きの周波数指示調節計によって、予め設定された周波数値と比較して、上回った場合に警報信号を発信するものを用いればよい。
これによれば、図９のフローチャートに示すように、温泉送水ポンプ３１に係る第２のインバータ３３の周波数の増大変化を監視することで、第２のインバータ３３の周波数が上限値を超えた場合に、要メンテナンス警報を発報することで、送水配管の洗浄時期を適切に知らせることができる。
【００２６】
また、本形態例では、所要の熱源によって送水配管３５を通過する温泉水を加温して昇温させる熱交換器３７が、送水配管３５の中途部に設けられている。
このように熱交換器３７が配設されている場合は、その熱交換器３７を通る送水配管３５の部分が、温泉水のスケールによって最も閉塞し易い部分となる。この場合、温泉水の送水量を揚湯量と同じくなるように制御する第２のインバータ３３の周波数の変化を監視することで、実質的には、熱交換器３７の閉塞を監視することになる。これによれば、その熱交換器３７の洗浄時期を、適切且つ有効に判断できる。これは、本来、送水量が一定ならば、第２のインバータの周波数は一定のはずであるが、熱交換器３７の閉塞によって圧力損失が上昇すると、その周波数が高くなり、その周波数の上昇の経過を監視することで、メンテナンスの時期を知ることができることによる。
【００２７】
さらに、本形態例では、ガスセパレータ２０と温泉貯留タンク３０とを接続する連通配管２５に温泉水の水量を調整する水量調整弁２６が設けられている。
これによれば、温泉井戸ポンプ１１による温泉水の汲み上げ量を、その運転の状況ごとに、例えば、湯張時の送水量と、営業時の送水量とのそれぞれに対応させ、所要の範囲で一定量となるように適切に合わせることができる。
【００２８】
次に、本発明に係るガスセパレータを備える温泉水の供給システムにおける配管の形態例を図面（図１〜７）に基づいて説明する。
本形態例では、温泉井戸ポンプ１１からガスセパレータ２０に接続される揚湯配管１２とその揚湯配管１２に接続される洗浄用配管５０とを備えている。
【００２９】
そして、ガスセパレータ２０に揚湯配管１２が接続される高さ位置に比べ、その揚湯配管１２に洗浄用配管５０が接続される高さ位置を同等又は低く設定してあると共に、その洗浄用配管５０を流れる洗浄水が温泉井戸１０へ流入することを防止するように、揚湯配管１２における洗浄用配管５０が接続される位置よりも温泉井戸ポンプ１１側の配管の一部が、ガスセパレータ２０に揚湯配管１２が接続される高さ位置に比べて高い位置を通るように形成された逆流防止凸部１３になっている。なお、揚湯時には、洗浄用配管５０が切換弁５３によって閉じられる。
【００３０】
すなわち、この逆流防止凸部１３は、大気に解放されているガスセパレータ２０に出口側が接続されている揚湯配管１２の一部分が、流路に高低差を設けることで温泉井戸１０への逆流を防止する形態になっていることで構成されている。このように、配管に高低差を設けるという簡便な方法で、洗浄時や凍結防止時に逆流を防止し、適切且つ安全に使用できる形態となっている。
なお、揚湯配管１２の中途に手動バルブを設けて揚湯配管１２（温泉井戸１０からガスセパレータ２０の間の流路）を閉じることで、洗浄時や凍結防止時に逆流を防止することも可能であるが、揚湯配管１２が閉塞した状態となるため、配管破裂などのトラブルを発生する恐れがある。
【００３１】
本形態例の洗浄用配管５０は、温泉水を浴槽４０へ送水する送水配管３５からガスセパレータ２０に接続される配管であり、切換弁５１によって、送水配管３５から浴槽４０への温泉水の送水を停止した際に連通するように設けられている。これによれば、例えば薬剤を混入させた洗浄水を循環させて、送水配管３５、ガスセパレータ２０、及び温泉貯留タンク３０を、効率的に洗浄することができる。所要の熱源によって送水配管３５を通過する温泉水を加温する熱交換器３７が設けられている送水配管３５の中途部は、スケールが付着し易いが、その部分を含めて適切且つ効果的に洗浄できる。
【００３２】
また、本形態例では、送水配管３５と洗浄用配管５０のガスセパレータ２０側の中途部とを接続する短絡水路６１を備えることで、凍結防止のために温泉水を循環させる凍結防止循環水路６０が構成されている。なお、凍結防止時には、切換弁６２によって短絡水路６１が連通し、切換弁５３が開き、切換弁５２が閉じられることで、凍結防止循環水路６０が連通されるようになっている。
これによれば、寒冷地において、凍結による被害を回避できる。また、この凍結防止循環水路６０によれば、前述の逆流防止凸部１３の形態によって、凍結防止時の循環流が温泉井戸１０へ流入することを防止でき、適切に運転できる。
【００３３】
さらに、本形態例では、ガスセパレータ２０が複数設けられ、そのガスセパレータ２０の数に対応し、揚湯配管１２の逆流防止凸部１３よりもガスセパレータ２０に接続される側で水平に分岐されている水平分岐部１４に洗浄用配管５０が接続されている。
これによれば、複数のガスセパレータ２０のそれぞれへ均等に、洗浄水や凍結防止の温泉水を適切に循環させることができる。それぞれの作業を適切に行うことができる。
【００３４】
次に、本発明に係るガスセパレータを備える温泉水の供給システムの具体的な作動操作について説明する。
先ず、運営状況によって温泉水の送水量を可変制御させる例として、湯張時と、営業時とで、送水量を可変させたい場合について説明する。
【００３５】
本発明では、湯張時の湯量と、営業時の湯量との各々について、ガスセパレータ２０の内部の水位を割り付け、温泉井戸１０からの揚湯量をインバータ制御することができる。
例えば、湯張時のガスセパレータの内部の水位を１２６０ｍｍで２００Ｌ／ｍｉｎを揚湯し、営業時のガスセパレータの内部の水位を１２００ｍｍで１２０Ｌ／ｍｉｎを揚湯した事例がある。
【００３６】
これによれば、本来は、ガスを抜くために設置したガスセパレータ２０を利用し、温泉水の揚湯量の可変制御の役割を付加することができた。
なお、ガスセパレータ２０から温泉貯留タンク３０へ排出される水量は、水量調整弁２６などによって設定することができ、これによって、ガスセパレータ２０の内部の水位を所要の範囲に維持可能な流入量（揚湯量）を割り出すことができる。
【００３７】
次に、営業時の揚湯量を一定に維持する場合について説明する。
本発明では、温泉のしみ出し量が少なく、汲み上げ続けることで温泉水位が大きく低下する温泉井戸１０で、汲み上げ量をインバータ制御することができる。
例えば、ガスセパレータ２０の内部の水位を、１２００ｍｍに設定することで、運転開始時は、温泉水位が地面から−２８０ｍ程度にあるため、７０Ｌ／ｍｉｎ×３５Ｈｚ程度で運転し、営業終了時は、温泉水位が地面から−４７０ｍ程度まで下がってしまうため、７０Ｌ／ｍｉｎ×４５Ｈｚ程度で運転した事例がある。
【００３８】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３９】
１０  温泉井戸
１１  温泉井戸ポンプ
１２  揚湯配管
１３  逆流防止凸部
１４  水平分岐部
２０  ガスセパレータ
２１  第１の圧力センサー
２２  第１のインバータ
２５  連通配管
２６  水量調整弁
３０  温泉貯留タンク
３０ａ  排気口
３０ｂ  オーバーフロー用排水管路
３１  温泉送水ポンプ
３２  第２の圧力センサー
３３  第２のインバータ
３４  周波数検出手段
３５  送水配管
３５ａ  接続用の配管
３７  熱交換器
４０  浴槽
５０  洗浄用配管
５１  切換弁
５２  切換弁
５３  切換弁
６０  凍結防止循環水路
６１  短絡水路
６２  切換弁
【図１】
0006671722.tif 000002
【図２】
0006671722.tif 000003
【図３】
0006671722.tif 000004
【図４】
0006671722.tif 000005
【図５】
0006671722.tif 000006
【図６】
0006671722.tif 000007
【図７】
0006671722.tif 000008
【図８】
0006671722.tif 000009
【図９】
0006671722.tif 000010